(57)【要約】【課題】暗闇において、戸（開き戸，引戸，上げ下げ戸等）を操作する、ハンドル，ノブ，把手，撮み，引手等の操作部材の位置を標示する位置標示部材であって、汚れることがなく、また、剥がれて取れるという心配もなく且つ取付も簡単であり、また、操作部材の位置を略正確に標示することができる位置標示部材を提供する。【解決手段】位置標示部材５は、戸１を操作するために該戸１に設けられる操作部材２又は該操作部材２を支持すべく戸１に取り付けられる支持部材３若しくは該支持部材３を覆うカバー部材４の、戸１の表面１ａに接当する部位と、戸１の表面１ａとの間に、これら操作部材２又は支持部材３若しくはカバー部材４からはみ出すように、挟み込まれて取り付けられ且つ蓄光材を有して発光するように形成する。【選択図】図１
2005188146.tif 000002
【特許請求の範囲】
【請求項１】
戸（１）を操作するために該戸（１）に設けられる操作部材（２）又は該操作部材（２）を支持すべく戸（１）に取り付けられる支持部材（３）若しくは該支持部材（３）を覆うカバー部材（４）と、戸（１）の表面（１ａ）との間に、これら操作部材（２）又は支持部材（３）若しくはカバー部材（４）からはみ出すように、挟み込まれて取り付けられ且つ蓄光材を有して発光することにより前記操作部材（２）の位置を標示することを特徴とする戸の操作部材の位置標示部材。
【請求項２】
操作部材（２）又は支持部材（３）若しくはカバー部材（４）の、戸（１）の表面（１ａ）に接当する部位の全周縁から一定量はみ出すように形成されていることを特徴とする請求項１に記載の戸の操作部材の位置標示部材。
【発明の詳細な説明】
【技術分野】
【０００１】
本発明は、暗闇において、戸（開き戸，引戸，上げ下げ戸等）を操作する、ハンドル，ノブ，把手，撮み，引手等の操作部材の位置を標示するのに使用される戸の操作部材の位置標示部材に関するものである。
【背景技術】
【０００２】
従来、暗闇において戸を開閉操作する操作部材の位置を標示するものとして、ドアを開閉操作するノブを被覆するように取り付けられるノブカバーを蓄光材を含有する材料で形成し、該ノブカバーが暗闇で光るようにすることにより、ドアノブの位置を標示できるようにしたものがある（特許文献１）。
【特許文献１】特開平１１−３５０８０４号公報
【発明の開示】
【発明が解決しようとする課題】
【０００３】
前記従来のノブカバーのように、ノブ等の操作部材に直接設けられる部材を発光させるようにしたものにあっては、ノブカバーは手で直接触ることから、汚れる，早期に劣化するという問題がある。
なお、蓄光材を含有して発光するシール部材を操作部材の近傍に貼り付けるようにすると、該シール部材が剥がれてしまうという問題がある。
そこで、本発明は、前記問題点を解消できる戸の操作部材の位置標示部材を提供することを目的とする。
【課題を解決するための手段】
【０００４】
本発明が前記目的を達成するために講じた技術的手段は、戸を操作するために該戸に設けられる操作部材又は該操作部材を支持すべく戸に取り付けられる支持部材若しくは該支持部材を覆うカバー部材と、戸の表面との間に、これら操作部材又は支持部材若しくはカバー部材からはみ出すように、挟み込まれて取り付けられ且つ蓄光材を有して発光することにより前記操作部材の位置を標示することを特徴とする。
また、操作部材又は支持部材若しくはカバー部材の、戸の表面に接当する部位の全周縁から一定量はみ出すように形成されていてもよい。
【発明の効果】
【０００５】
本発明に係る位置標示部材は、戸を開閉操作する際等において触るところに取り付けられないので汚れることはなく、また、操作部材又は支持部材若しくはカバー部材と、戸の表面との間に挟み込まれて取り付けられるので剥がれて取れるという心配もなく且つ取付も簡単であり、また、操作部材の位置を略正確に標示することができる。
【発明を実施するための最良の形態】
【０００６】
以下、本発明の実施の形態を図面を参照して説明する。
図１及び図２において、１はドア（戸）であり、２は該ドア１を開閉操作するための操作部材としてのレバーハンドルであり、３は該レバーハンドル２を支持するための支持部材であり、４は該支持部材３を覆うカバー部材であり、５は暗闇において発光して前記レバーハンドル２の位置を標示する位置標示部材であり、これらは、ドア１の左右方向（厚さ方向）一側面と他側面とにそれぞれ設けられている。
前記ドア１には、ドア１の前端面（戸枠の縦框に対向する面）から出退自在なラッチボルトを備えたラッチ錠を収納する彫り込み穴６が形成されていると共に、この彫り込み穴６を横切るようにドア１を左右方向に貫通してラッチ錠に係合する角芯７が設けられている。
【０００７】
左右の各レバーハンドル２は、左右方向の軸心を有する軸部８と、この軸部８の一端側から径方向に延びるレバー部９とを有し、一方のレバーハンドル２の軸部８が角芯７の一端側に、他方のレバーハンドル２の軸部８が角芯７の他端側にそれぞれ一体回動自在に取り付けられ、レバーハンドル２を下方に回動させることにより、ラッチ錠のラッチボルトが退避するようになっている。
軸部８の他端部側には、軸部８の本体部分よりも小径の円柱状の被支持部８ａが形成されている。
【０００８】
支持部材３は、ドア１の表面１ａに対して対向状に位置する側壁部３ａと、この側壁部３ａの縁部全周からドア１の表面１ａに向けて延出されると共にドア１の表面１ａに接当する周壁部３ｂとを備え、支持部材３の上下部に配置された頭付ボルト１０及びナット部材１１によって左右の支持部材３がドア１に取り付けられている。
すなわち、ドア１には、ボルト１０及びナット部材１１を挿通する挿通孔１２が左右方向貫通状に形成され、ナット部材１１は頭付きで長い筒状に形成され、このナット部材１１を一方の支持部材３の外側面から該支持部材３の側壁部３ａを貫通して前記挿通孔１２に挿通し、ボルト１０を他方の支持部材３の外側面から該支持部材３の側壁部３ａを貫通して前記挿通孔１２に挿通し且つ前記ナット部材１１に螺合させて締め付けることにより、左右の支持部材３がドア１に取付固定される。
【０００９】
左右各支持部材３の側壁部３ａのレバーハンドル２対応部分には支持孔１３が貫通形成され、この支持孔１３に、レバーハンドル２の軸部８他端部に形成された小径円柱状の被支持部８ａが左右方向の軸心廻りに回動自在に挿通されて支持されていて、これによりレバーハンドル２が支持部材３に左右軸廻り回動自在に支持されている。
カバー部材４は、支持部材３の側壁部３ａ外面を覆う側壁部４ａと、支持部材３の周壁部３ｂ外面を覆う周壁部４ｂとを備えており、図示省略の取付手段を介して支持部材３に着脱自在に取り付けられている。
【００１０】
位置標示部材５は蓄光材を有していて、該蓄光材の特性によって暗闇で光るように形成されている。
この位置標示部材５は、シート状（薄板状）に形成されると共に、外形が支持部材３の周壁部３ｂ縁部及びカバー部材４の周壁部４ｂ縁部に沿った形状で且つこれら周壁部３ｂ，４ｂの輪郭よりも若干大きい形状に形成されている。
また、位置標示部材５には、前記ボルト１０、ナット部材１１、角芯７を挿通させるために上下方向に長い挿通孔１４が形成されていて、環状に形成されている。
【００１１】
位置標示部材５は、支持部材３の取付時において、該支持部材３とドア１の表面１ａとの間に配置され、左右支持部材３をボルト１０及びナット部材１１によって締め付けて取り付けることにより、その外周側が前記支持部材３のドア１に対する接当部位（周壁部３ｂ縁部）と、ドア１の表面１ａとの間に挟み込まれて取り付けられ、且つ、位置標示部材５の外周側（外側の縁部側）が支持部材３及びカバー部材４のドア１に対する接当部位（周壁部３ａ，４ａ縁部）から一定量はみ出すように取り付けられる。
そして、暗闇において、位置標示部材５の、支持部材３及びカバー部材４の周壁部３ａ，４ａ縁部からはみ出した部分が光ることにより、支持部材３及びカバー部材４の輪郭がはっきりと標示され、これによって、レバーハンドル２の位置が標示される（わかる）ようになっている。
【００１２】
前記位置標示部材５は、ドア１を開閉操作する際に触るところに取り付けられないので汚れることはない。
また、支持部材３及びカバー部材４とドア１の表面１ａとの間に挟み込まれて取り付けられるので剥がれて取れるという心配もなく且つ取付も簡単である。
また、レバーハンドル２と大きく離れていないのでレバーハンドル２の位置を略正確に標示することができる。
前記位置標示部材５は、例えば、プラスチックシートの表面に蓄光材を印刷すると共に、このプラスチックシートの蓄光材印刷面を透明のコーティング材で被覆し、位置標示部材５をドア１とで挟み込む部材の形状に合わせて打ち抜くことによって形成される。
【００１３】
または、位置標示部材５を挟み込む部材の形状に合わせて打ち抜いたシート状のプラスチックの表面に蓄光材を印刷すると共に、この蓄光材の印刷面を透明のコーティング材で被覆するようにしてもよい。
また、プラスチックに蓄光材を練り込み、それをシート状にして打ち抜くか、又は、型によって成型するようにしてもよい。
また、蓄光材を含有して発光するように形成されたシート状発光部材をプラスチックシートに、貼り付けるようにしてもよい。
【００１４】
図３は、位置標示部材５が、引戸１を操作する操作部材としての引手２に設けられた実施形態を示すものであり、この実施形態では、位置標示部材５が引手２（操作部材自体）によって直接戸１に取り付けられる例を示している。
引手２は、円形状（矩形状等であってもよい）の側壁部１５ａと、この側壁部１５ａの縁部から左右方向外方に向けて延出された周壁部１５ｂとから形成されていて外側面に手を掛けるための凹部１６を有する引手本体１５と、この引手本体１５の周壁部１５ｂの縁部全周から引戸１の表面１ａに沿って延びるフランジ部１７とを有する。
【００１５】
この引手２は、引戸１の左右一側面と他側面とに、引手本体１５が引戸１に形成された挿入孔１８に挿入され且つフランジ部１７が引戸１の表面１ａに接当するように配置されていて、ネジその他の取付手段により引戸１に取付固定される。
位置標示部材５は、引手２のフランジ部１７の外形よりもやや大きい径の円形状に形成され、中心側に引手本体１５を挿通するための挿通孔２３が形成されており、挿通孔２３に引手本体１５を挿通することにより、位置標示部材５の外周側がフランジ部１７からはみ出すように形成されている。
【００１６】
この実施形態では、例えば、位置標示部材５の挿通孔２３に引手本体１５を挿通させた状態で引手２を引戸１に取り付けることにより、その内周側がフランジ部１７と、ドア１の表面１ａとの間に挟み込まれて取り付けられ、且つ、位置標示部材５の外周側がフランジ部１７の縁部から一定量はみ出すように取り付けられる。
左右一方の引手２には、引戸１に設けられた鎌錠等の錠装置のロック部材（鎌部材）を操作する操作部材としてのレバー２０が設けられており、このレバー２０は、該レバー２０に設けられた被支持部２１が引手本体１５の側壁部１５ａに形成された支持孔２２に左右方向の軸心廻りに回動自在に支持されることにより、引手２に指示されている。
【００１７】
位置標示部材５は前述した実施の形態に限定されることはなく、他の形式の戸の操作装置（例えば、操作部材を支持する支持部材を覆うカバー部材が設けられていないタイプ等）に採用でき、また、他の形式の操作部材２又は支持部材３若しくはカバー部材４に適応した形状に形成されて実施される。
また、位置標示部材５は、環状に形成される必要はなく、戸１の操作部材２又は支持部材３若しくはカバー部材４の縁部の輪郭の一部を標示するようにしてもよい。
また、戸１の操作部材２、支持部材３又はカバー部材４からの突出量は一定ではなくてもよく、戸１を操作するために該戸１に設けられる操作部材２又は該操作部材２を支持すべく戸１に取り付けられる支持部材３若しくは該支持部材３を覆うカバー部材４の、戸１の表面１ａに接当する部位と、戸１の表面１ａとの間に、これら操作部材２又は支持部材３若しくはカバー部材４から所定量はみ出すように、挟み込まれて取り付けられるようになっていればよい。
【００１８】
また、位置標示部材５は、戸１の表面１ａと、操作部材２を取り付ける支持部材３を覆うカバー部材４のみと、によって挟み込まれて取り付けられるようにしてもよい。
【図面の簡単な説明】
【００１９】
【図１】本発明の一実施形態に係る戸の操作部分の正面図である。
【図２】本発明の一実施形態に係る戸の操作部分の側面断面図である。
【図３】本発明の他の実施形態に係る戸の操作部分の正面図及び平面断面図である。
【符号の説明】
【００２０】
１    戸
１ａ  表面
２    操作部材
３    支持部材
４    カバー部材
５    位置標示部材
【図１】
2005188146.tif 000003
【図２】
2005188146.tif 000004
【図３】
2005188146.tif 000005